(57)【要約】【課題】背枠に直接取り付けることができ、部品点数が少なく、ランバーサポートの抜け防止が図れ、ランバーサポートの上下動を段階的にスムーズに調節可能な椅子の提供。【解決手段】背枠と、該背枠に装着されるランバーサポートとを少なくとも有してなり、前記ランバーサポートが、前記背枠に装着された際に該ランバーサポートの前後動を規制する前後動規制部材を有し、前記背枠が、前記ランバーサポートが装着された際に該ランバーサポートの上下動を規制する上下動規制部材を有する椅子である。【選択図】図１
2014188027.tif 000002
【特許請求の範囲】
【請求項１】
背枠と、該背枠に装着されるランバーサポートとを少なくとも有してなり、
前記ランバーサポートが、前記背枠に装着された際に該ランバーサポートの前後動を規制する前後動規制部材を有し、
前記背枠が、前記ランバーサポートが装着された際に該ランバーサポートの上下動を規制する上下動規制部材を有することを特徴とする椅子。
【請求項２】
背枠がアウターとインナーとを有してなり、
前記アウター及び前記インナーの一方が、第１の上下動規制部材を有し、該第１の上下動規制部材が前記ランバーサポートを段階的に上下動させる機構を有する請求項１に記載の椅子。
【請求項３】
段階的に上下動させる機構が、上下方向に溝幅が変化する溝である請求項２に記載の椅子。
【請求項４】
アウター及びインナーの一方が、第１の上下動規制部材を有し、他方が第２の上下動規制部材を有する請求項２に記載の椅子。
【請求項５】
背枠が、幅方向に延設された中央背枠を有してなり、
前記中央背枠の中央部に段階的に上下動させる機構を有する請求項３に記載の椅子。
【請求項６】
背枠が、一対の縦方向背枠を有してなり、
前記一対の縦方向背枠が、それぞれ段階的に上下動させる機構を有する請求項３に記載の椅子。
【発明の詳細な説明】
【技術分野】
【０００１】
本発明は、ランバーサポートを有する椅子に関する。
【背景技術】
【０００２】
従来より、長時間の作業に供する事務用椅子、オフィス用椅子、座部とシンクロして背受部が傾動するロッキングチェア、自動車の座席等においては、座者の腰部等を押圧して、着座時の座者の腰部の負担を軽減するランバーサポートを有する椅子が知られている。
例えば、ランバーサポート取付部材と、左右一対のガイド部材と、ランバーサポート本体とからなるランバーサポートが提案されている（特許文献１参照）。この提案のランバーサポートは、ランバーサポート本体と、ベース部材と、パッド材とから構成されている。しかし、この提案では、ランバーサポートが取付部材を介して背枠に装着されており、背枠に直接ランバーサポートを取り付けるものではなく、また、ランバーサポートが取付部材とガイド部材とランバーサポート本体との３部品からなり、組み立て作業に熟練を要するという課題がある。
【０００３】
したがって、背枠に直接取り付けることができ、部品点数が少なく、ランバーサポートの抜け防止が図れ、ランバーサポートの上下動を段階的にスムーズに調節可能な椅子の提供が望まれている。
【先行技術文献】
【特許文献】
【０００４】
【特許文献１】特許第４８２３５４８号公報
【発明の概要】
【発明が解決しようとする課題】
【０００５】
本発明は、従来における前記問題を解決し、以下の目的を達成することを課題とする。
即ち、本発明は、背枠に直接取り付けることができ、部品点数が少なく、ランバーサポートの抜け防止が図れ、ランバーサポートの上下動を段階的にスムーズに調節可能な椅子を提供することを目的とする。
【課題を解決するための手段】
【０００６】
前記課題を解決するための手段としては、以下の通りである。即ち、
＜１＞  背枠と、該背枠に装着されるランバーサポートとを少なくとも有してなり、
前記ランバーサポートが、前記背枠に装着された際に該ランバーサポートの前後動を規制する前後動規制部材を有し、
前記背枠が、前記ランバーサポートが装着された際に該ランバーサポートの上下動を規制する上下動規制部材を有することを特徴とする椅子である。
＜２＞  背枠がアウターとインナーとを有してなり、
前記アウター及び前記インナーの一方が、第１の上下動規制部材を有し、該第１の上下動規制部材が前記ランバーサポートを段階的に上下動させる機構を有する前記＜１＞に記載の椅子である。
＜３＞  段階的に上下動させる機構が、上下方向に溝幅が変化する溝である前記＜２＞に記載の椅子である。
＜４＞  アウター及びインナーの一方が、第１の上下動規制部材を有し、他方が第２の上下動規制部材を有する前記＜２＞に記載の椅子である。
＜５＞  背枠が、幅方向に延設された中央背枠を有してなり、
前記中央背枠の中央部に段階的に上下動させる機構を有する前記＜３＞に記載の椅子である。
＜６＞  背枠が、一対の縦方向背枠を有してなり、
前記一対の縦方向背枠が、それぞれ段階的に上下動させる機構を有する前記＜３＞に記載の椅子である。
【発明の効果】
【０００７】
本発明によると、従来における問題を解決することができ、背枠に直接取り付けることができ、部品点数が少なく、ランバーサポートの抜け防止が図れ、ランバーサポートの上下動を段階的にスムーズに調節可能な椅子を提供することができる。
【図面の簡単な説明】
【０００８】
【図１】図１は、本発明の椅子の一例を示す分解斜視図である。
【図２】図２は、背枠のインナーの一例を示す部分斜視図である。
【図３】図３は、背枠のアウターの一例を示す部分斜視図である。
【図４】図４は、ランバーサポートの一例を裏面（座者と接しない側の面）から見た斜視図である。
【図５】図５は、ランバーサポートを背枠のインナーに取り付けた状態の一例を示す斜視図である。
【図６】図６は、ランバーサポートを背枠のインナーに取り付け始めの状態の一例を示す一部断面図を含む側面図である。
【図７】図７は、ランバーサポートを背枠のインナーに取り付けた状態（ランバーサポート下端位置）の一例を示す一部断面図を含む側面図である。
【図８】図８は、ランバーサポートを取り付けたインナーにアウターを結合させて、ランバーサポートを背枠に装着した状態の一例を示す部分斜視図である。
【図９】図９は、ランバーサポートを背枠に装着した状態の一例を示す部分正面図である。
【図１０】図１０は、ランバーサポートを背枠のインナーに取り付け、ランバーサポートの位置が下端である状態（アウターを外した状態）の一例を示す正面図である。
【図１１】図１１は、ランバーサポートを背枠のインナーに取り付け、ランバーサポートの位置が中央である状態（アウターを外した状態）の一例を示す部分斜視図である。
【図１２】図１２は、ランバーサポートを背枠のインナーに取り付け、ランバーサポートの位置が上端である状態（アウターを外した状態）の一例を示す部分斜視図である。
【図１３】図１３は、図１２のＡ−Ａ線での概略部分断面図である。
【図１４】図１４は、図１２のＢ−Ｂ線での概略部分断面図である。
【図１５】図１５は、ランバーサポートを背枠に装着した状態の一例での背枠及びランバーサポートの水平方向断面図である。
【図１６】図１６は、図１５のＸ部分の拡大図である。
【図１７】図１７は、実施例２におけるランバーサポートを背枠に取り付ける状態の一例を示す概略図である。
【図１８】図１８は、実施例２におけるランバーサポートを背枠に取り付けた状態の一例を示す概略断面図である。
【図１９】図１９は、実施例３におけるランバーサポートを背枠に取り付ける状態の一例を示す概略図である。
【図２０】図２０は、実施例３におけるランバーサポートを背枠に取り付けた状態の一例を示す概略断面図である。
【発明を実施するための形態】
【０００９】
（椅子）
本発明の椅子は、背枠と、該背枠に装着されるランバーサポートとを少なくとも有してなり、座部、脚、更に必要に応じてその他の部材を有してなる。
【００１０】
＜背枠＞
前記背枠は、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記背枠の形状としては、例えば、四角枠状、長方形枠状、などが挙げられる。
前記背枠の大きさについては、特に制限はなく、目的に応じて適宜選択することができるが、通常用いられる程度の大きさが好ましい。
前記背枠の構造としては、例えば、単層構造、２層構造、などが挙げられる。
【００１１】
前記背枠は、インナーと、アウターとを有することが好ましい。
前記インナーは、座者と接する側の背枠部材であり、前記アウターは、座者と接しない側の背枠部材である。
前記背枠は、前記ランバーサポートが装着された際に該ランバーサポートの上下動を規制する上下動規制部材を有する。
前記上下動規制部材としては、装着されたランバーサポートの上下動を規制することができれば特に制限はなく、目的に応じて適宜選択することができ、例えば、後述する第１の上下動規制部材、第２の上下動規制部材、などが挙げられる。
【００１２】
−インナー−
前記インナーは、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。なお、前記ポリプロピレン樹脂は、強度を向上させるため、ガラス繊維を含有することができる。
前記インナーの形状、大きさについては、特に制限はなく、目的に応じて適宜選択することができるが、通常用いられる程度の形状及び大きさが好ましい。
前記インナーの構造としては、単層構造又は２層構造が好ましい。
【００１３】
前記インナーの表面には、特に制限はないが、例えば、表皮（カバー）材、クッション材、などを設けることが好ましい。
前記表皮材としては、特に制限はなく、目的に応じて適宜選択することができ、例えば、メッシュ材、などが挙げられる。
【００１４】
−アウター−
前記アウターは、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。なお、前記ポリプロピレン樹脂は、強度を向上させるため、ガラス繊維を含有することができる。
前記アウターの形状、大きさについては、特に制限はなく、目的に応じて適宜選択することができるが、通常用いられる程度の形状及び大きさが好ましい。
前記アウターの構造としては、単層構造又は２層構造が好ましい。
【００１５】
前記アウター及び前記インナーの一方が、第１の上下動規制部材を有し、該第１の上下動規制部材が前記ランバーサポートを段階的に上下動させる機構を有することが好ましい。
前記段階的に上下動させる機構としては、特に制限はなく、目的に応じて適宜選択することができるが、上下方向に溝幅が変化する溝であることが好ましい。前記上下方向の溝幅の変化は、連続的であってもよく、不連続であっても構わない。
前記段階的に上下動させる機構としては、特に制限はなく、目的に応じて適宜選択することができるが、例えば、複数の穴が縦方向に並んで配置されており、中央部の溝幅が狭く、両端に向かって溝幅が広くなるように形成されていることが好ましい。これにより、ランバーサポートを背枠に取り付け易くなり、ランバーサポートの位置決めが安定となる。
【００１６】
前記アウター及びインナーの一方が、第１の上下動規制部材を有し、他方が第２の上下動規制部材を有することが好ましい。これにより、ランバーサポートが抜けるのを防止することができる。
前記第２の上下動規制部材としては、ランバーサポートの抜けを防止できるものであれば特に制限はなく、目的に応じて適宜選択することができ、例えば、規制リブ、などが挙げられる。
【００１７】
前記背枠は、幅方向に延設された中央背枠を有してなり、前記中央背枠の中央部に、第１の上下動規制部材としての前記段階的に上下動させる機構を有することが好ましい。この場合、第２の上下動規制部材としての規制リブを併用することが、ランバーサポートの抜け防止の点からより好ましい。
前記背枠が、一対の縦方向背枠を有してなり、前記一対の縦方向背枠が、それぞれ、第１の上下動規制部材としての前記段階的に上下動させる機構を有することが好ましい。この場合、第２の上下動規制部材としての規制リブを併用することが、ランバーサポートの抜け防止の点からより好ましい。
【００１８】
＜ランバーサポート＞
前記ランバーサポートは、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記ランバーサポートの形状としては、特に制限はなく、目的に応じて適宜選択することができ、例えば、略半円柱状、略ドーム状、などが挙げられる。
前記ランバーサポートの大きさについては、特に制限はなく、目的に応じて適宜選択することができるが、通常用いられる程度の大きさが好ましい。
前記ランバーサポートの構造としては、単層構造又は２層構造であることが好ましい。
【００１９】
前記ランバーサポートは、前記背枠に装着された際に該ランバーサポートの前後動を規制する前後動規制部材を有している。
前記前後動規制部材としては、前記背枠に装着された際に該ランバーサポートの前後動を規制することができれば特に制限はなく、目的に応じて適宜選択することができ、例えば、係合突起、取付片、ランバーサポートの延出腕をインナーとアウターで挟み込む機構、又はこれらの組み合わせ、などが挙げられる。
前記係合突起は、前記ランバーサポートの背枠側の面（裏面）設けられ、その形状、構造、大きさ、材質、数などについては特に制限はなく、目的に応じて適宜選択することができる。
前記係合突起は、背枠のインナーに設けたランバーサポートを段階的に上下動させる機構に挿入し取り付けることにより、ランバーサポートを位置決めする機能を有している。また、前記係合突起の先端部を膨大させることにより、ランバーサポートの前後動を規制する前後動規制部材としての役割を果すことができる。この場合、前記係合突起の膨大した先端部を取り付け易くするため、前記段階的に上下動させる機構の上端又は下端の溝幅を広く形成することが好ましい。
【００２０】
前記取付片は、前記ランバーサポートの背枠側の面（裏面）設けられ、その形状、構造、大きさ、材質、数などについては特に制限はなく、目的に応じて適宜選択することができる。
前記取付片は、前記係合突起の両側に一対設けることが好ましい。前記取付片の先端には爪部を有することが好ましい。
前記ランバーサポートの取付片を背枠のインナーに設けた取付孔に挿入し、前記取付片の先端の爪部をインナーの内壁と係合させることにより、ランバーサポートの前後動を規制することができる。
【００２１】
前記ランバーサポートを背枠の一対の縦方向背枠（右背枠及び左背枠）に装着する場合には、前記ランバーサポートの両端から延伸した延出腕の先端部に係合突起を設けることが好ましい。
前記インナーのアウター側に設けた段階的に上下動させる機構に、ランバーサポートから延伸した延出腕に設けた係合突起を挿入し取り付けた後、インナーとアウターとでランバーサポートの延出腕を挟み込むようにして、インナーとアウターとを結合することにより、ランバーサポートの前後動を規制することができる。
【００２２】
前記ランバーサポートを背枠に装着する際には、まず、ランバーサポートをインナーに取り付ける。次に、ランバーサポートを装着したインナーにアウターを取り付ける。これにより、ランバーサポートを安定に背枠に装着することができる。
前記ランバーサポートが、係合突起と、前記ランバーサポートの前後動を規制する前後動規制部材としての取付片とを有し、前記背枠のインナーが、ランバーサポートの上下動を規制する第１の上下動規制部材としての段階的に上下動させる機構を有すると共に、前記背枠のアウターが、前記ランバーサポートの抜けを防止する第２の上下動規制部材としての規制リブを有しているので、ランバーサポートを背枠に直接取り付けることができ、部品点数が少なく、ランバーサポートの抜け防止が図れ、ランバーサポートの上下動を段階的にスムーズに調節可能である。
【００２３】
＜座部＞
前記座部としては、椅子に座った人の臀部が接する部材であり、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記座部の形状、大きさ等については、特に制限はなく、目的に応じて適宜選択することができるが、通常用いられる程度の形状及び大きさが好ましい。
前記座部の下方には、脚を有している。
【００２４】
＜脚＞
前記脚としては、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、強度の点から、金属が好ましい。
前記脚の形状、大きさ等についても、特に制限はなく、目的に応じて適宜選択することができ、通常用いられる程度の形状及び大きさが好ましい。
前記脚の構造としては、例えば、パイプ状、軸状、棒状、などが挙げられる。
前記脚の床面（接地面）と接触する端部には、特に制限はなく、目的に応じて適宜選択することができるが、椅子の運搬性及び利便性の点から、キャスターを有することが好ましい。
【００２５】
＜その他の部材＞
前記その他の部材としては、特に制限はなく、目的に応じて適宜選択することができ、例えば、肘掛け部、メモ台、ヘッドレスト、などが挙げられる。
【００２６】
本発明の椅子は、背枠に直接取り付けることができ、部品点数が少なく、ランバーサポートの抜け防止が図れ、ランバーサポートの上下動を段階的にスムーズに調節可能であるため、例えば、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いられる。
【実施例】
【００２７】
以下、本発明の実施例につき図面を用いて具体的に説明するが、本発明はこの実施例に何ら限定されるものではない。
【００２８】
（実施例１）
本発明の椅子の実施例１について説明する。図１は、椅子の分解斜視図、図２は、背枠のインナーの部分斜視図、図３は、背枠のアウターの部分斜視図、図４は、ランバーサポートを裏面（座者と接しない側の面）から見た斜視図、図５は、ランバーサポートを背枠のインナーに取り付けた状態を示す斜視図、図８は、ランバーサポートを取り付けたインナーにアウターを結合させて、ランバーサポートを背枠に装着した状態を示す部分斜視図、図１５は、ランバーサポートを背枠に取り付けた状態での背枠及びランバーサポートの水平方向断面図、をそれぞれ表す。
【００２９】
図１に示すように、本発明の椅子１０は、インナー２とアウター３とからなる背枠３１と、ランバーサポート１とからなる背受部３２と、座部５とを有している。なお、図１中６は脚であり、脚の床面（接地面）と接触する端部にはキャスターを有している。図１中４はインナー２の表面に設けられた表皮材（カバー材）であり、メッシュ材が用いられている。
ランバーサポート１は、前後動規制部材及び上下動規制部材の働きにより、背枠３１の座者側に段階的に上下動可能に、かつ前後動を規制された状態で装着されている。
【００３０】
図２に示すように、インナー２は、略四角形状であり、ポリプロピレン樹脂製である。
インナー２は、インナーの右背枠２ｂと、インナーの左背枠２ｃと、インナーの中央背枠２ａとを有しており、インナーの中央背枠２ａは、インナーの右背枠２ｂの中央部とインナーの左背枠２ｃの中央部との間を連結している。
インナーの中央背枠２ａの中央部には、ランバーサポートの上下動を規制する第１の上下動規制部材としての段階的に上下動させる機構１１と、該段階的に上下動させる機構１１の両側に、ランバーサポートの前後動を規制する前後動規制部材としての取付片２１，２２（図４参照）を装着する取付孔１２，１３を有している。
ランバーサポートを段階的に上下動させる機構１１は、ランバーサポートの係合突起２３が挿入され、上下方向に溝幅が変化する溝であり、この実施例１では、５段階に溝幅が増減する箇所を有している。前記段階的に上下動させる機構１１は、中央の溝幅が狭く、両端に向かって漸次溝幅が広くなるように形成されている。これにより、ランバーサポートの取り付けが容易となり、ランバーサポートの位置決めが安定となる。
【００３１】
図３に示すように、アウター３は、略半円柱状であり、ポリプロピレン樹脂製である。アウター３のインナー側の面には補強のために補強リブが多数設けられている。
アウター３は、アウターの右背枠３ｂと、アウターの左背枠３ｃと、アウターの中央背枠３ａとを有しており、アウターの中央背枠３ａは、アウターの右背枠３ｂの中央部とアウターの左背枠３ｃの中央部との間を連結している。
アウターの中央背枠３ａには、インナーの中央背枠２ａの取付孔１２，１３に対応する位置に、ランバーサポートの上下動を規制する第２の上下動規制部材としての規制リブ１４，１５を有している。これにより、ランバーサポートの上下動を確実に規制することができる。
【００３２】
図４に示すように、ランバーサポート１は、略蒲鉾状であり、ポリプロピレン樹脂製である。
図４に示すように、ランバーサポート１の裏面（座者と接しない側の面）には、係合突起２３と、インナーの中央背枠２ａの取付孔１２，１３に対応する位置に一対の取付片２１，２２を有している。
ランバーサポートの係合突起２３は、段階的に上下動させる機構１１の上端又は下端から挿入させて、取り付けられる。この実施例１では、上端から挿入される。
前記取付片２１，２２の先端には、爪部２１ａ，２２ａを有しており、インナーの内壁と係合し、ランバーサポートの前後動を規制できる。
【００３３】
図５〜図７に示すように、背枠のインナー２にランバーサポート１が取り付けられる。この実施例１では、ランバーサポート１の前後動規制部材としての取付片２１，２２をインナーの中央背枠２ａの取付孔１２，１３に挿入し、取付片２１，２２の爪部２１ａ，２２ａをインナーの内壁に係合させることにより、ランバーサポート１の前後動が規制された状態でインナー２に取り付けられる（図１５及び図１６参照）。
図６は、ランバーサポート１を背枠のインナーに取り付け始めの状態を示し、インナーの中央背枠２ａに設けられた段階的に上下動させる機構１１に上方からランバーサポートの係合突起２３を挿入する状態を示している。図７は、ランバーサポートを背枠のインナーに取り付けた状態（ランバーサポートの下端位置）を示す。
【００３４】
図８及び図９に示すように、ランバーサポート１を取り付けたインナー２にアウター３を結合させて、ランバーサポートを背枠３１に装着する。この場合、図１２のＢ−Ｂ線での断面図である図１４に示すように、ランバーサポート１の位置が上端となると、アウターの規制リブ１４がランバーサポートの下端１ａと当接するので、ランバーサポート１が背枠から抜けるのを防止できる。
【００３５】
ランバーサポート１は、該ランバーサポート１の係合突起２３と、背枠のインナーの中央枠の上下動させる機構１１に挿入し取り付けると共に、ランバーサポート１の取付片２１，２２を背枠３１の取付孔１２，１３にスライド可能に装着することにより、前後動が規制された状態で上下方向に多段階に位置を調整することができる。例えば、図１０に示すように、背枠に取り付けたランバーサポートの位置が下端である状態（アウターを外した状態）を示す。図１１は、背枠に取り付けたランバーサポートの位置が中央である状態（アウターを外した状態）を示す。図１２は、背枠に取り付けたランバーサポートの位置が上端である状態（アウターを外した状態）を示す。
また、図１３は、図１２の背枠に取り付けたランバーサポートの位置が上端である状態でのＡ−Ａ線での部分断面図である。また、図１４は、図１２のＢ−Ｂ線での部分断面図である。
【００３６】
ランバーサポートを背枠に装着する際には、まず、ランバーサポート１をインナー２に装着する。次に、ランバーサポートを装着したインナー１にアウター２を取り付ける。
ランバーサポート１が、係合突起２３と、前記ランバーサポートの前後動を規制する前後動規制部材としての取付片２１，２２とを有し、前記背枠のインナーが、ランバーサポート１の上下動を規制する第１の上下動規制部材としての段階的に上下動させる機構１１を有すると共に、前記背枠のアウターが、ランバーサポート１の抜けを防止する第２の上下動規制部材としての規制リブ１４とを有しているので、ランバーサポートを背枠に直接取り付けることができ、部品点数が少なく、ランバーサポートの抜け防止が図れ、ランバーサポートの上下動を段階的にスムーズに調節可能である。
【００３７】
（実施例２）
本発明の椅子の実施例２について説明する。この実施例２は、背枠が、一対の縦方向背枠（右背枠及び左背枠）を有し、前記一対の縦方向背枠が、それぞれ段階的に上下動させる機構を有する変形例である。
図１７及び図１８に示すように、背枠のインナーの右背枠２ｂ及びインナーの左背枠２ｃ（不図示）の座面側に設けた段階的に上下動させる機構１６に、ランバーサポート１から延伸した延出腕８に設けた係合突起１７を挿入して取り付ける。これにより、一対の縦方向背枠（右背枠及び左背枠）に跨ってランバーサポート１を容易に取り付けることができ、ランバーサポート１の上下動を段階的にスムーズに調節可能である。
ランバーサポートの延出腕８に設けた係合突起１７の先端１７ａは膨大しており、段階的に上下動させる機構１６に挿入した際にランバーサポートの前後動を規制する前後動規制部材として機能する(図１８参照)。その際、先端１７ａが膨大した係合突起１７を段階的に上下動させる機構１６に挿入し易くするため、段階的に上下動させる機構１６の上端の穴１６ａを大径に形成している。
背枠のアウターの右背枠３ｂ及びアウターの左背枠３ｃ（不図示）には第２の上下動規制部材としての規制リブ４１が設けられている。ランバーサポート装着したインナーとアウターとを結合することにより、規制リブ４１の働きによって、ランバーサポートの背枠からの抜けを防止することができる。
【００３８】
（実施例３）
本発明の椅子の実施例３について説明する。この実施例３は、背枠が、一対の縦方向背枠（右背枠及び左背枠）を有し、前記一対の縦方向背枠が、それぞれ段階的に上下動させる機構を有する変形例である。
図１９及び図２０に示すように、背枠のインナーの右背枠２ｂ及びインナーの左背枠２ｃ（不図示）のアウター側に設けた段階的に上下動させる機構２６に、ランバーサポート１から延伸した延出腕９に設けた係合突起２７を挿入して取り付ける。これにより、一対の縦方向背枠（右背枠及び左背枠）に跨ってランバーサポート１を容易に取り付けることができ、ランバーサポート１の上下動を段階的にスムーズに調節可能である。
インナーの右背枠２ｂのアウター側に設けた段階的に上下動させる機構２６にランバーサポートから延伸した延出腕９に設けた係合突起２７を挿入した後、アウターの右背枠３ｂによりランバーサポートの延出腕９を挟み込むようにして、インナーとアウターとを結合することにより、ランバーサポートの前後動を規制することができる（図２０参照）。
また、背枠のアウターの右背枠３ｂ及びアウターの左背枠３ｃ（不図示）に第２の上下動規制部材としての規制リブ４２を設けている。これにより、ランバーサポートの係合突起２７による係合と相俟って、ランバーサポートの背枠からの抜けを確実に防止することができる。
【００３９】
以上、本発明の椅子について詳細に説明したが、本発明は上記実施例に限定されず、本発明の要旨を逸脱しない範囲で種々変更しても差支えない。
【産業上の利用可能性】
【００４０】
本発明の椅子は、背枠に直接取り付けることができ、部品点数が少なく、ランバーサポートの抜け防止が図れ、ランバーサポートの上下動を段階的にスムーズに調節可能であるため、例えば、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いることができる。
【符号の説明】
【００４１】
１      ランバーサポート
２      インナー
３      アウター
４      表皮材
５      座部
８      延出腕
９      延出腕
１０      椅子
１１      段階的に上下動させる機構
１２、１３      取付孔
２１、２２      取付片
１４、１５      規制リブ
１６      段階的に上下動させる機構
１７      係合突起
２３      係合突起
２６      段階的に上下動させる機構
２７      係合突起
３１      背枠
３２      背受部
４１      規制リブ
４２      規制リブ
【図１】
2014188027.tif 000003
【図２】
2014188027.tif 000004
【図３】
2014188027.tif 000005
【図４】
2014188027.tif 000006
【図５】
2014188027.tif 000007
【図６】
2014188027.tif 000008
【図７】
2014188027.tif 000009
【図８】
2014188027.tif 000010
【図９】
2014188027.tif 000011
【図１０】
2014188027.tif 000012
【図１１】
2014188027.tif 000013
【図１２】
2014188027.tif 000014
【図１３】
2014188027.tif 000015
【図１４】
2014188027.tif 000016
【図１５】
2014188027.tif 000017
【図１６】
2014188027.tif 000018
【図１７】
2014188027.tif 000019
【図１８】
2014188027.tif 000020
【図１９】
2014188027.tif 000021
【図２０】
2014188027.tif 000022